(57)【要約】      （修正有）【課題】ステンレス鋼などの鋼板を素材とする塔婆立てに関し、風によるガタガタ音を効率的に抑制することを目的とする。【解決手段】塔婆立てはう一枚の塔婆を挿入するための上下の塔婆挿入孔１６,１８の対を複数有する。上下に対をなす塔婆挿入孔の各々は塔婆の厚みより幾分大きい長手方向全長に亘り実質的同一の幅Ｓの弓形状をなし、上側の塔婆挿入孔１６の弓形状は塔婆２０の表面に向け湾曲し、上側の塔婆挿入孔１６の弓形状は塔婆２０の裏面方向に湾曲し、下側の塔婆挿入孔１８の弓形状は塔婆の表面方向に湾曲しており、上側の塔婆挿入孔１６の塔婆表面側の凸面１６Ｂが塔婆の表面に係合し、下側の塔婆挿入孔１８の塔婆裏面側の凸面１６Ａが塔婆の表面に係合する。塔婆は上下の対の塔婆挿入孔に表裏面で当接され、ガタ無く若しくは少なく支持することができる。【選択図】図５
0003144266.tif 000002
【実用新案登録請求の範囲】
【請求項１】
一枚の塔婆を挿入するための塔婆挿入孔を上下に対をなして有した塔婆立てにおいて、前記上下に対をなす塔婆挿入孔における少なくとも一方の塔婆挿入孔は、そこに挿入される塔婆の正面若しくは裏面に向け突出した突出部を備えることを特徴とする塔婆立て。
【請求項２】
一枚の塔婆を挿入するための塔婆挿入孔を上下に対をなして有した塔婆立てにおいて、前記上下に対をなす塔婆挿入孔における少なくとも一方の塔婆挿入孔は、そこに挿入される塔婆の正面若しくは裏面に向けて塔婆に突出した湾曲面をなすことを特徴とする塔婆立て。
【請求項３】
一枚の塔婆を挿入するための塔婆挿入孔を上下に対をなして有した塔婆立てにおいて、前記上下に対をなす塔婆挿入孔における少なくとも一方の塔婆挿入孔は、塔婆の厚みより幾分大きい長手方向全長に亘り実質的同一の幅の弓形状をなすことを特徴とする塔婆立て。
【請求項４】
一枚の塔婆を挿入するための塔婆挿入孔を上下に対をなして有した塔婆立てにおいて、前記上下に対をなす塔婆挿入孔における上側の塔婆挿入孔はそこに挿入される塔婆の正面及び裏面の一方に向け突出する突出部を有し、前記上下に対をなす塔婆挿入孔における下側の塔婆挿入孔はそこに挿入される塔婆の正面及び裏面の他方に向け突出する突出部を有することを特徴とする塔婆立て。
【請求項５】
一枚の塔婆を挿入するための塔婆挿入孔を上下に対をなして有した塔婆立てにおいて、前記上下に対をなす塔婆挿入孔における上側の塔婆挿入孔は、そこに挿入される塔婆の正面及び裏面の一方に向けて突出した湾曲面をなし、前記上下に対をなす塔婆における下側の塔婆挿入孔は、そこに挿入される塔婆の正面及び裏面の他方に向けて突出した湾曲面をなすことを特徴とする塔婆立て。
【請求項６】
一枚の塔婆を挿入するための塔婆挿入孔を上下に対をなして有した塔婆立てにおいて、前記上下に対をなす塔婆挿入孔の各々は塔婆の厚みより幾分大きい長手方向全長に亘り実質的同一の幅の弓形状をなし、前記上下に対をなす塔婆挿入孔における上側の塔婆挿入孔の弓形状と下側の塔婆挿入孔の弓形状とは互いに反対方向に湾曲していることを特徴とする塔婆立て。
【請求項７】
請求項１から６のいずれか一項に記載の考案において、上下の対をなす塔婆挿入孔は長手方向の端縁が上下に整列位置していることを特徴とする塔婆立て。
【考案の詳細な説明】
【背景技術】
【０００１】
この発明はステンレス鋼などの鋼板を素材とする塔婆立てに関するものである。
【技術分野】
【０００２】
墓地に設置される塔婆立てとして、上下に対をなした塔婆挿入孔を備えたものが公知である。塔婆挿入孔の対は複数設けられ、複数の塔婆の装着が可能となっている。各対の塔婆挿入孔は少なくとも上側の塔婆挿入孔は塔婆の細長い矩形断面と相似であるが、幾分大きめの細長い矩形に形成され、塔婆は各対の塔婆挿入孔に上から挿入され、上側の塔婆挿入孔を貫通して下端はその対の塔婆挿入孔における下側の塔婆挿入孔により係合若しくは保持される。即ち、従来の塔婆立てにおいては少なくとも上側の塔婆挿入孔は塔婆の細長い矩形断面と相似であるが、フリー挿入可能に幾分大きめの細長い矩形に形成されており、そのため塔婆を上から挿入し、上下の塔婆挿入孔により塔婆は高さ方向に間隔をおいた部位で係合するため、高さ方向に延びた塔婆を立てかけ保持することができる（特許文献１及び２）。
【特許文献１】実用新案登録第３０３１０６１号公報
【特許文献２】特開２０００−０８１１９４号公報
【考案の開示】
【考案が解決しようとする課題】
【０００３】
従来の塔婆立てにおいては少なくとも上側の塔婆挿入孔は塔婆の細長い矩形形状と相似であるが、幾分大きめの細長い矩形に形成されており、そのため塔婆の上からの挿入がスムースに行えるようになっている。しかしながら、塔婆挿入孔は細長い矩形形状であり、塔婆の矩形形状より大きめの相似形状であるため、塔婆を立て掛けた状態において、上下のいづれの塔婆挿入孔についても塔婆との間には幾分の隙間が存在しており、風の日には塔婆立てに対する塔婆の衝突によりガタガタと騒音が発生する。塔婆には地方的に忌日に用いられる５０ｃｍ程度の短尺のものと全国的に葬儀に用いられる２ｍ近い長尺のものがあるが、特に長尺の場合には塔婆立てから上の塔婆の部分が長くなるため騒音の問題が大きくなる。
【０００４】
この考案は以上の問題点に鑑みてなされたものであり、長尺の塔婆にあっても風によるガタガタ音を効率的に抑制しうる塔婆立てを提供することを目的とする。
【課題を解決するための手段】
【０００５】
この考案によれば、一枚の塔婆を挿入するための塔婆挿入孔を上下に対をなして有した塔婆立てにおいて、前記上下に対をなす塔婆挿入孔における少なくとも一方の塔婆挿入孔は、そこに挿入される塔婆の正面若しくは裏面に向け突出した突出部を備えることを特徴とする塔婆立てが提供される。
【０００６】
この考案によれば、一枚の塔婆を挿入するための塔婆挿入孔を上下に対をなして有した塔婆立てにおいて、前記上下に対をなす塔婆挿入孔における少なくとも一方の塔婆挿入孔は、そこに挿入される塔婆の正面若しくは裏面に向けて塔婆に突出した湾曲面をなすことを特徴とする塔婆立てが提供される 。
【０００７】
この考案によれば、一枚の塔婆を挿入するための塔婆挿入孔を上下に対をなして有した塔婆立てにおいて、前記上下に対をなす塔婆挿入孔における少なくとも一方の塔婆挿入孔は、塔婆の厚みより幾分大きい、長手方向全長に亘り実質的同一の幅の弓形状をなすことを特徴とする塔婆立てが提供される。
【０００８】
この考案によれば、一枚の塔婆を挿入するための塔婆挿入孔を上下に対をなして有した塔婆立てにおいて、前記上下に対をなす塔婆挿入孔における上側の塔婆挿入孔はそこに挿入される塔婆の正面及び裏面の一方に向け突出する突出部を有し、前記上下に対をなす塔婆挿入孔における下側の塔婆挿入孔はそこに挿入される塔婆の正面及び裏面の他方に向け突出する突出部を有することを特徴とする塔婆立てが提供される。
【０００９】
この考案によれば、一枚の塔婆を挿入するための塔婆挿入孔を上下に対をなして有した塔婆立てにおいて、前記上下に対をなす塔婆挿入孔における上側の塔婆挿入孔は、そこに挿入される塔婆の正面及び裏面の一方に向けて突出した湾曲面をなし、前記上下に対をなす塔婆における下側の塔婆挿入孔は、そこに挿入される塔婆の正面及び裏面の他方に向けて突出した湾曲面をなすことを特徴とする塔婆立てが提供される。
【００１０】
この考案によれば、一枚の塔婆を挿入するための塔婆挿入孔を上下に対をなして有した塔婆立てにおいて、前記上下に対をなす塔婆挿入孔の各々は、塔婆の厚みより幾分大きい、長手方向全長に亘り実質的同一の幅の弓形状をなし、前記上下に対をなす塔婆挿入孔における上側の塔婆挿入孔の弓形状と下側の塔婆挿入孔の弓形状とは互いに反対方向に湾曲していることを特徴とする塔婆立てが提供される。
【００１１】
上下の対をなす塔婆挿入孔は長手方向の端縁を上下に整列位置させることができる。
【考案の効果】
【００１２】
塔婆は上下一対の塔婆挿入孔にスムースに挿入することができ、かつ挿入状態で塔婆は表裏面で塔婆挿入孔に確実係合させ得るため、風に対するガタツキが少なくなり、騒音発生を抑制若しくは軽減することができる。
【考案を実施するための最良の形態】
【００１３】
この考案の第１の実施形態としての塔婆立てを図１〜図４により説明すると、塔婆立てはステンレス等の対錆性の金属にて形成された正方形に近い矩形断面（図４参照）の筒状本体１０と、筒状本体１０の両端に固定された御影石などの外観美麗な石材等の中実体にて形成された細長い矩形断面の支柱１２とから構成される。筒状本体１０は両端に端部板１１（図３）を溶接しており、端部板１１はボルト１４により支柱１２の対向面のねじ孔（若しくは埋め込みナット）１５に螺合締結され、塔婆立てとして組み立てられている。また、支柱１２の下面は墓地の床面１７に埋め込み若しくは接着若しくはセメント等により固定されている。
【００１４】
筒状本体１０は上面10-1 に複数（この場合は４個）の塔婆挿入孔１６を備え、下面10-2 にも同数の塔婆挿入孔１８を備え、これらの上下の塔婆挿入孔16, 18は図１及び図２に関しては相当誇張して図示してあるが弓状に湾曲している。正確な湾曲形状は図５に拡大して示しており、この正確な湾曲形状については後で詳述する。上下の塔婆挿入孔16, 18は塔婆を幾分の余裕をもって挿入しうる大きさとなっている。
【００１５】
筒状本体１０の上面10-1の塔婆挿入孔１６は下面10-2に上下に整列位置した対をなす塔婆挿入孔１８を備えており、従って図示実施形態では上下間で実質的に整列した４対が設けられ、４本の塔婆を同時に挿入することができる。ここで、実質的にとは、上下の塔婆挿入孔16, 18は上下で微妙にではあるが反対方向に湾曲しているため、厳密には前後には整列していないが、一つの塔婆の挿入が可能な程度には上下の塔婆挿入孔16, 18には位置の一致がある、という意味である。即ち、塔婆２０は図１に示すように上の塔婆挿入孔１６から入れられ対をなす下の塔婆孔１８に通され、下端２０Ａが墓地の床面１７（図４）に当接せしめられ、塔婆２０が立てられた状態となる（図４には一対の塔婆挿入孔16, 18に塔婆が挿入され立てられた状態が示される）。そして、上下の塔婆挿入孔の対は墓地正面から各塔婆が視認されるように適宜長手方向に位置をずらせて設置されている。
【００１６】
図５は図２の部分拡大平面図であり、上下の塔婆挿入孔16, 18の正確な形状及び位置関係を示している。上側の塔婆挿入孔１６は対向する長手方向内周面16A, 16Bを備え、内周面16A, 16Bは平行であり、その間の間隔Ｓは塔婆挿入孔１６への塔婆２０の自由挿入に支障のないように塔婆２０の肉厚Ｔより幾分大きくなっている。上側の塔婆挿入孔１６と対をなす下側の塔婆挿入孔１９も対向する長手方向内周面18A, 18B（面１８Ｂのみは上からは見えないため破線にて表示する）を備え、内周面18A, 18Bは平行であり、その間の間隔も塔婆挿入孔１８への塔婆２０の自由挿入に支障のないように塔婆２０の肉厚Ｔより幾分大きくなっている。上側の塔婆挿入孔１６の内周面16A, 16Bは塔婆裏面向きに（図５では上向きに）湾曲しており（湾曲させなかったとしたときの直線面をＬ１, Ｌ２にて表す）、塔婆裏面側の内周面１６Ａは塔婆２０の対向面から離間した凹面をなし、塔婆表面側の内周面１６Ｂは塔婆２０の対向面に向けた凸面をなし、この凸面の中間部16B-1が塔婆２０の対向面に当接する突部となる。他方、下側の塔婆挿入孔１８の内周面18A, 18Bは図５で幾分塔婆表面側に（図５の下向きに）湾曲しており、塔婆裏面側の塔婆挿入孔１８の内周面１８Ａは塔婆２０の対向面に向けた凸面をなし、この凸面の中間部18A-1が塔婆２０の対向面に当接する突部となり、塔婆表面に近接した内周面１８Ｂは塔婆２０の対向面から離間した凹面をなす。以上のように、上側の塔婆挿入孔１６の内周面16A, 16Bは塔婆裏面側に湾曲し、これに対をなす下側の塔婆挿入孔１８の内周面18A, 18B塔婆表面側に湾曲し、換言すれば、上下に対を成す上下の塔婆挿入孔16, 18は反対方向に湾曲している。更に、換言すれと、塔婆挿入孔16, 18は細長い弓形状をなし、その湾曲の程度は僅かであるが弓形状としては正反対の形状である。上側の塔婆挿入孔１６に対する下側の塔婆挿入孔１８の反対方向への湾曲形状は図１及び図２に幾分誇張して図示されている。そして、上下で対をなす塔婆挿入孔16, 18は長手方向の一端面を16c, 18c、長手方向の他端面を16d, 18dにて示すが、長手方向の一端面16c, 18c は一致し、長手方向の他端面16d, 18dも一致し、即ち、塔婆２０の幅方向では上下で対をなす塔婆挿入孔16, 18は前後左右で整列した関係にあり、そして、上下で対をなす塔婆挿入孔16, 18に塔婆２０を挿入した状態では幅方向には塔婆挿入孔16, 18に対して左右で平均的にはＧの値となる。他方、塔婆の肉厚方向においては上側の塔婆挿入孔１６は塔婆の裏面側に湾曲され、対をなす下側の塔婆挿入孔１８は塔婆表面側に湾曲され、この湾曲程度は、対をなす上下の塔婆挿入孔16, 18に塔婆２０を挿入した状態において、塔婆２０は長手方向の両端に近い部位では端面での隙間Ｇと同程度の大きさの隙間Ｇ´が残されるが、長手方向の中央部では、塔婆２０は上側の塔婆挿入孔１６に塔婆表面側長手方向内周面１６Ｂの中央凸面16B-1にて当接し、下側の塔婆挿入孔１８に塔婆裏面側長手方向内周面１８Ａの中央凸面18A-1にて当接している。即ち、塔婆は対をなす上下の塔婆挿入孔16, 18への挿入時に上側の塔婆挿入孔１６には表面側（内周面16Bの凸部16B-1）で係合され、下側の塔婆挿入孔１８では裏面側（内周面18Aの凸部18A-1）で係合され、塔婆の表裏面により塔婆立てに係合されている。
【００１７】
墓地の塔婆立てに塔婆を設置した場合、風に対しては風圧を強くうける表裏面方向（前方からの風とすれば図４の矢印Ｆ方向）に振れる力をうけるが、この考案の塔婆立てにおいては、塔婆は表面側では上側塔婆挿入孔１６の内周面16B（の凸部16B-1）で係合され、裏面側では下側の塔婆挿入孔１８の内周面18A（の凸部18A-1）で係合され、塔婆２０は表裏で係合されるため、係合状態が安定し、ガタツキが少なくなり、風があってもカタカタ騒音の発生を効率的に抑制若しくは軽減可能となる。
【００１８】
図６は第２の実施形態の塔婆立てを示し、この実施形態では上下の塔婆挿入孔116, 118は長手方向に傾斜している。図１〜図５の第１の実施形態と同様に上下の塔婆挿入孔116, 118は上下に対をなし、この場合は都合５対が設けられる。各対が一本の塔婆の挿入のためのものであることは第１実施形態と同様である。そして、各対の上下の塔婆挿入孔116, 118は反対方向に湾曲するように弓形状をなす。図６でも図２と同様の上下の対の塔婆挿入孔116, 118の湾曲形状は簡明のため誇張して図示されているが、正しくは図５に詳細説明した第１の実施形態の場合と同様な反対方向の僅かな湾曲構造であり、塔婆挿入孔116, 118の塔婆表裏方向の間隔Ｓに対してクリアランスG, G'を残すことにより、肉厚Ｔの塔婆なフリーな挿入を可能しつつ上側の塔婆挿入孔１１６では塔婆の表裏面の一方で当接し、下側の塔婆挿入孔１１８では塔婆の表裏面の他方で当接し、これにより塔婆を上下の塔婆挿入孔116, 118において当接させる構造となっており、風に対するガタツキを抑制し、騒音発生を軽減させることが可能である。また、図６の第２の実施形態は各対塔婆挿入孔116, 118を相互に平行であるが長手方向には傾斜させることで、同一本体長さに対して塔婆挿入孔116, 118の対の数を増やすことができ、挿入可能な塔婆本数を増やすことができる。
【図面の簡単な説明】
【００１９】
【図１】この考案の塔婆立ての一実施形態を示す斜視図である。
【図２】図１の塔婆立ての平面図である。
【図３】図１の塔婆立ての一部破断側面図である。
【図４】図２のIV−IV線に沿った矢視断面図である。
【図５】図２の部分拡大図であり、この考案の塔婆立てにおける上下の対の塔婆挿入孔の詳細図である。
【図６】この考案の第２実施形態の塔婆立ての平面図である。
【符号の説明】
【００２０】
１０…筒状本体
１２…支柱
１４…ボルト
１６…上側の塔婆挿入孔
１６Ｂ…上側の塔婆挿入孔の湾曲凸面
16B-1…上側の塔婆挿入孔の突部
１８…下側の塔婆挿入孔
１８Ａ…下側の塔婆挿入孔の湾曲凸面
16A-1…下側の塔婆挿入孔の突部
２０…塔婆
【図１】
0003144266.tif 000003
【図２】
0003144266.tif 000004
【図３】
0003144266.tif 000005
【図４】
0003144266.tif 000006
【図５】
0003144266.tif 000007
【図６】
0003144266.tif 000008